【手続補正書】
【提出日】平成26年7月2日(2014.7.2)
【手続補正１】
【補正対象書類名】特許請求の範囲
【補正対象項目名】全文
【補正方法】変更
【補正の内容】
【特許請求の範囲】
【請求項１】
位置決め用シンボルが配された撮像対象物を撮像する撮像手段と、当該撮像手段が撮像した原画像データから前記位置決め用シンボルを検出し、検出された前記位置決め用シンボルを基準に算出された所定領域を第一範囲として認識し、当該第一範囲にある画像データを切り出して切出画像データとして取得し、検出された前記位置決め用シンボル間の距離に基づいて当該切出画像データを補正する画像取得手段と、当該画像取得手段が取得した切出画像データを保存する画像データ保存手段と、を備える画像処理システムで用いられ、前記撮像対象物に前記位置決め用シンボルを配するための透明シートであって、
前記位置決め用シンボルは、前記透明シートの少なくとも２箇所に設けられ、多値化された図形からなり、前記撮像対象物の地色と異なる色値からなる現出部と、当該現出部の色値と異なる色値からなる非現出部と、を有する、
透明シート。
【請求項２】
前記位置決め用シンボルは、少なくとも２種類の形状により形成され、
第一の位置決め用シンボルの前記現出部は、２本の直線部と、当該２本の直線部の端部同士が接する角部とを有する枠状の現出部を含み、第一の位置決め用シンボルの前記非現出部は、前記枠状の現出部に囲まれた領域からなり、
第二の位置決め用シンボルの前記現出部は、２本の直線部と、当該２本の直線部の端部同士が接する角部とを有する、直線部と角部とを有する現出部と、当該直線部と角部とを有する現出部の内側に位置する矩形状の現出部とを少なくとも含み、前記第二の位置決め用シンボルの前記非現出部は、前記直線部と角部とを有する現出部と前記矩形状の現出部との間の領域からなる、
請求項１に記載の透明シート。
【請求項３】
位置決め用シンボルが配された撮像対象物を撮像する撮像手段と、当該撮像手段が撮像した原画像データから前記位置決め用シンボルを検出し、検出された前記位置決め用シンボルを基準に算出された所定領域を第一範囲として認識し、当該第一範囲にある画像データを切り出して切出画像データとして取得し、検出された前記位置決め用シンボル間の距離に基づいて当該切出画像データを補正する画像取得手段と、当該画像取得手段が取得した切出画像データを保存する画像データ保存手段と、を備える画像処理システムで用いられ、前記撮像対象物に前記位置決め用シンボルを配するためのシール片であって、
前記位置決め用シンボルは、前記シール片に設けられ、前記シール片が前記撮像対象物の少なくとも２箇所に配されることにより形成され、
前記シール片は、多値化された図形からなる前記位置決め用シンボルを備え、前記位置決め用シンボルは、前記撮像対象物の地色と異なる色値からなる現出部と、当該現出部の色値と異なる色値からなる非現出部と、を有する、
シール片。
【請求項４】
前記位置決め用シンボルは、少なくとも２種類の形状により形成され、
第一の位置決め用シンボルの前記現出部は、２本の直線部と、当該２本の直線部の端部同士が接する角部とを有する枠状の現出部を含み、第一の位置決め用シンボルの前記非現出部は、前記枠状の現出部に囲まれた領域からなり、
第二の位置決め用シンボルの前記現出部は、２本の直線部と、当該２本の直線部の端部同士が接する角部とを有する、直線部と角部とを有する現出部と、当該直線部と角部とを有する現出部の内側に位置する矩形状の現出部とを少なくとも含み、前記第二の位置決め用シンボルの前記非現出部は、前記直線部と角部とを有する現出部と前記矩形状の現出部との間の領域からなる、
請求項３に記載のシール片。
【請求項５】
位置決め用シンボルが配された撮像対象物を撮像し、撮像した原画像データから前記位置決め用シンボルを検出し、検出された前記位置決め用シンボルを基準に算出された所定領域を第一範囲として認識し、当該第一範囲にある画像データを切り出して切出画像データとして取得し、検出された前記位置決め用シンボル間の距離に基づいて当該切出画像データを補正し、取得した切出画像データを保存する画像処理方法で用いられ、前記撮像対象物に前記位置決め用シンボルを配するための透明シートであって、
前記位置決め用シンボルは、前記透明シートの少なくとも２箇所に設けられ、多値化された図形からなり、前記撮像対象物の地色と異なる色値からなる現出部と、当該現出部の色値と異なる色値からなる非現出部と、を有する、
透明シート。
【請求項６】
位置決め用シンボルが配された撮像対象物を撮像し、撮像した原画像データから前記位置決め用シンボルを検出し、検出された前記位置決め用シンボルを基準に算出された所定領域を第一範囲として認識し、当該第一範囲にある画像データを切り出して切出画像データとして取得し、検出された前記位置決め用シンボル間の距離に基づいて当該切出画像データを補正し、取得した切出画像データを保存する画像処理方法で用いられ、前記撮像対象物に前記位置決め用シンボルを配するためのシール片であって、
前記位置決め用シンボルは、前記シール片に設けられ、前記シール片が前記撮像対象物の少なくとも２箇所に配されることにより形成され、
前記シール片は、多値化された図形からなる前記位置決め用シンボルを備え、前記位置決め用シンボルは、前記撮像対象物の地色と異なる色値からなる現出部と、当該現出部の色値と異なる色値からなる非現出部と、を有する、
シール片。
【請求項７】
位置決め用シンボルが配された撮像対象物を撮像する撮像手段と、当該撮像手段が撮像した原画像データから前記位置決め用シンボルを検出し、検出された前記位置決め用シンボルを基準に算出された所定領域を第一範囲として認識し、当該第一範囲にある画像データを切り出して切出画像データとして取得し、検出された前記位置決め用シンボル間の距離に基づいて当該切出画像データを補正する画像取得手段と、当該画像取得手段が取得した切出画像データを保存する画像データ保存手段と、を備える画像処理システムで実行可能な画像処理方法であって、
前記位置決め用シンボルは、透明シートの少なくとも２箇所に設けられ、多値化された
図形からなり、前記撮像対象物の地色と異なる色値からなる現出部と、当該現出部の色値と異なる色値からなる非現出部と、を有し、
演算装置が、
前記撮像手段によって撮像された、少なくとも前記２カ所に配された位置決め用シンボルを含む前記撮像対象物の原画像データから前記位置決め用シンボルを検出するステップと、
当該位置決め用シンボルを基準に算出された所定領域を第一範囲として認識するステップと、
当該第一範囲にある画像データのみを切り出して切出画像データとして取得するステップと、
前記画像データ保存手段に前記切出画像データを保存するステップと、
を含む処理を実行する画像処理方法。
【請求項８】
位置決め用シンボルが配された撮像対象物を撮像する撮像手段と、当該撮像手段が撮像した原画像データから前記位置決め用シンボルを検出し、検出された前記位置決め用シンボルを基準に算出された所定領域を第一範囲として認識し、当該第一範囲にある画像データを切り出して切出画像データとして取得し、検出された前記位置決め用シンボル間の距離に基づいて当該切出画像データを補正する画像取得手段と、当該画像取得手段が取得した切出画像データを保存する画像データ保存手段と、を備える画像処理システムで実行可能な画像処理方法であって、
前記位置決め用シンボルは、シール片に設けられ、前記シール片が前記撮像対象物の少なくとも２箇所に配されることにより形成され、
前記シール片は、多値化された図形からなる前記位置決め用シンボルを備え、前記位置決め用シンボルは、前記撮像対象物の地色と異なる色値からなる現出部と、当該現出部の色値と異なる色値からなる非現出部とを有し、
演算装置が、
前記撮像手段によって撮像された、少なくとも前記２カ所に配された位置決め用シンボルを含む前記撮像対象物の原画像データから前記位置決め用シンボルを検出するステップと、
当該位置決め用シンボルを基準に算出された所定領域を第一範囲として認識するステップと、
当該第一範囲にある画像データのみを切り出して切出画像データとして取得するステップと、
前記画像データ保存手段に前記切出画像データを保存するステップと、
を含む処理を実行する画像処理方法。
【請求項９】
位置決め用シンボルが配された撮像対象物を撮像する撮像手段と、当該撮像手段が撮像した原画像データから前記位置決め用シンボルを検出し、検出された前記位置決め用シンボルを基準に算出された所定領域を第一範囲として認識し、当該第一範囲にある画像データを切り出して切出画像データとして取得し、検出された前記位置決め用シンボル間の距離に基づいて当該切出画像データを補正する画像取得手段と、当該画像取得手段が取得した切出画像データを保存する画像データ保存手段と、を備える画像処理システムで実行可能な画像処理プログラムであって、
前記位置決め用シンボルは、透明シートの少なくとも２箇所に設けられ、多値化された図形からなり、前記撮像対象物の地色と異なる色値からなる現出部と、当該現出部の色値と異なる色値からなる非現出部と、を有し、
演算装置が、
前記撮像手段によって撮像された、少なくとも前記２カ所に配された位置決め用シンボルを含む前記撮像対象物の原画像データから前記位置決め用シンボルを検出するステップと、
当該位置決め用シンボルを基準に算出された所定領域を第一範囲として認識するステップと、
当該第一範囲にある画像データのみを切り出して切出画像データとして取得するステップと、
前記画像データ保存手段に前記切出画像データを保存するステップと、
を実行させる画像処理プログラム。
【請求項１０】
位置決め用シンボルが配された撮像対象物を撮像する撮像手段と、当該撮像手段が撮像した原画像データから前記位置決め用シンボルを検出し、検出された前記位置決め用シンボルを基準に算出された所定領域を第一範囲として認識し、当該第一範囲にある画像データを切り出して切出画像データとして取得し、検出された前記位置決め用シンボル間の距離に基づいて当該切出画像データを補正する画像取得手段と、当該画像取得手段が取得した切出画像データを保存する画像データ保存手段と、を備える画像処理システムで実行可能な画像処理プログラムであって、
前記位置決め用シンボルは、シール片に設けられ、前記シール片が前記撮像対象物の少なくとも２箇所に配されることにより形成され、
前記シール片は、多値化された図形からなる前記位置決め用シンボルを備え、前記位置決め用シンボルは、前記撮像対象物の地色と異なる色値からなる現出部と、当該現出部の色値と異なる色値からなる非現出部とを有し、
演算装置に、
前記撮像手段によって撮像された、少なくとも前記２カ所に配された位置決め用シンボルを含む前記撮像対象物の原画像データから前記位置決め用シンボルを検出するステップと、
当該位置決め用シンボルを基準に算出された所定領域を第一範囲として認識するステップと、
当該第一範囲にある画像データのみを切り出して切出画像データとして取得するステップと、
前記画像データ保存手段に前記切出画像データを保存するステップと、
を実行させる画像処理プログラム。